(57)【要約】【課題】部品サイズを小型化することができ、耐ノイズ性能を向上させることができるノイズ対策構造を提供する。【解決手段】第１の配線基板に設けられた昇圧回路部と、第２の配線基板に設けられた昇圧用コンデンサ９とをＬＣＤコネクタ１１により電気的に接続する構成において、ＬＣＤコネクタ１１が長方形状の筐体からなり、長さ方向に複数列設けられた端子挿入部１３と、各端子挿入部１３から幅方向の一側と他側にそれぞれ交互に設けられたコネクタ端子１５とを有し、昇圧用コンデンサ９を、幅方向の同一側で隣接するコネクタ端子１５ａ，１５ｂに電気的に接続し、昇圧回路部を、端子挿入部１３ａ，１３ｂに電気的に接続し、コネクタ端子１５ａ，１５ｂの間に位置するコネクタ端子１５ｃを、第２の配線基板側に電気的に接続不能な空き端子とした。【選択図】図１
2010267445.tif 000002
【特許請求の範囲】
【請求項１】
第１の配線基板に設けられた昇圧回路部と、第２の配線基板に設けられた昇圧用コンデンサとをコネクタにより電気的に接続するノイズ対策構造であって、
前記コネクタは長方形状の筐体からなり、長さ方向に複数列設けられ前記第１の配線基板側に電気的に接続可能な端子挿入部と、この各端子挿入部から幅方向の一側と他側にそれぞれ交互に設けられ前記第２の配線基板側に電気的に接続可能なコネクタ端子とを有し、
前記昇圧用コンデンサは、幅方向の同一側で隣接する前記コネクタ端子に電気的に接続され、前記昇圧回路部は、昇圧用コンデンサに接続されたコネクタ端子が位置する前記端子挿入部に電気的に接続され、
昇圧用コンデンサに接続されたコネクタ端子の間に位置するコネクタ端子は、前記第２の配線基板側に電気的に接続不能な空き端子であることを特徴とするノイズ対策構造。
【発明の詳細な説明】
【技術分野】
【０００１】
本発明は、昇圧回路部と昇圧用コンデンサとの間をコネクタによって結合する構成におけるノイズ対策構造に関する。
【背景技術】
【０００２】
従来、液晶ディスプレイ（以下、ＬＣＤとする）が搭載された配線基板などに設けられるコネクタとしては、配線基板と他の基板や外部機器との間を電気的に接続させるものが知られている（例えば、特許文献１参照）。
【０００３】
このようなコネクタでは、ＬＣＤの端子が挿入されるＬＣＤ端子挿入部が複数列設けられ、この各ＬＣＤ端子挿入部の一側にはコネクタ端子が設けられている。このコネクタ端子は、配線基板に設けられた昇圧回路部や配線基板外に設けられた昇圧用コンデンサなどに接続される。
【先行技術文献】
【特許文献】
【０００４】
【特許文献１】特開２００８−１０２３３６号公報
【発明の概要】
【発明が解決しようとする課題】
【０００５】
ところで、各ＬＣＤ端子挿入部の一側にコネクタ端子を設ける構成ではコネクタのサイズが大型化していたため、各ＬＣＤ端子挿入部の一側と他側にそれぞれ交互に（千鳥足状に）コネクタ端子を設けることで、同一側に設けられた隣接するコネクタ端子間のピッチを変えずにコネクタ端子間の反対側にコネクタ端子を設けることができ、コネクタのサイズを小型化させることができる。
【０００６】
しかしながら、千鳥足状にコネクタ端子を設けたコネクタでは、隣接するコネクタ端子間に昇圧用コンデンサを設けようとすると、コネクタ端子−昇圧用コンデンサ−コネクタ端子を結ぶ配線パターンがＬＣＤ端子挿入部を囲むように配置され、昇圧用コンデンサに接続するための配線パターンが長距離となってしまう。このため、昇圧用コンデンサから発生するノイズが長い配線パターンから放射されてしまい、耐ノイズ性能が悪化してしまう懸念があった。
【０００７】
そこで、この発明は、部品サイズを小型化することができ、耐ノイズ性能を向上させることができるノイズ対策構造の提供を目的としている。
【課題を解決するための手段】
【０００８】
請求項１記載の発明は、第１の配線基板に設けられた昇圧回路部と、第２の配線基板に設けられた昇圧用コンデンサとをコネクタにより電気的に接続するノイズ対策構造であって、前記コネクタは長方形状の筐体からなり、長さ方向に複数列設けられ前記第１の配線基板側に電気的に接続可能な端子挿入部と、この各端子挿入部から幅方向の一側と他側にそれぞれ交互に設けられ前記第２の配線基板側に電気的に接続可能なコネクタ端子とを有し、前記昇圧用コンデンサは、幅方向の同一側で隣接する前記コネクタ端子に電気的に接続され、前記昇圧回路部は、昇圧用コンデンサに接続されたコネクタ端子が位置する前記端子挿入部に電気的に接続され、昇圧用コンデンサに接続されたコネクタ端子の間に位置するコネクタ端子は、前記第２の配線基板側に電気的に接続不能な空き端子であることを特徴とする。
【発明の効果】
【０００９】
請求項１のノイズ対策構造は、コネクタ端子が各端子挿入部から幅方向の一側と他側にそれぞれ交互に設けられているので、コネクタのサイズを小型化することができる。また、幅方向の同一側で隣接するコネクタ端子に昇圧用コンデンサが接続されるので、昇圧用コンデンサに接続されるコネクタ端子間のピッチを従来のコネクタ端子間のピッチと同等にすることができる。
【００１０】
このため、コネクタ端子−昇圧用コンデンサ−コネクタ端子を結ぶ配線パターンを長距離にする必要がなく、昇圧用コンデンサから発生するノイズの配線パターンからの放射を抑制することができる。また、昇圧用コンデンサが位置する部分に設けられた空き端子となるコネクタ端子は、複数のコネクタ端子の一部であるので、コネクタや周辺部材の大きな設計変更を伴うことなく、コネクタのサイズの小型化を維持することができる。
【００１１】
従って、部品サイズを小型化することができ、耐ノイズ性能を向上させることができる。
【図面の簡単な説明】
【００１２】
【図１】本発明の実施の形態に係るコネクタにおけるノイズ対策構造を示す概略図である。
【図２】本発明の実施の形態に係るノイズ対策構造のブロック図である。
【図３】本発明の実施の形態に係る第２の配線基板上にコネクタを配置したときの平面図である。
【図４】本発明の実施の形態に係るノイズ対策構造の回路図である。
【図５】従来の構成における周波数に対するノイズを示す図である。
【図６】本発明の実施の形態に係るノイズ対策構造における周波数に対するノイズを示す図である。
【発明を実施するための形態】
【００１３】
図１〜図６を用いて本発明の実施の形態に係るノイズ対策構造について説明する。
【００１４】
本実施の形態に係るノイズ対策構造は、ＬＣＤ１内に搭載されたＬＣＤドライバ３の第１の配線基板（不図示）に設けられた昇圧回路部５と、ＬＣＤ１外に配置された第２の配線基板７に設けられた昇圧用コンデンサ９とをコネクタとしてのＬＣＤコネクタ１１により電気的に接続する構成に適用されている。また、ＬＣＤコネクタ１１は長方形状の筐体からなり、長さ方向に複数列設けられ第１の配線基板側に電気的に接続可能な端子挿入部１３と、この各端子挿入部１３から幅方向の一側と他側にそれぞれ交互に設けられ第２の配線基板７側に電気的に接続可能なコネクタ端子１５とを有している。
【００１５】
そして、昇圧用コンデンサ９は、幅方向の同一側で隣接するコネクタ端子１５ａ，１５ｂに電気的に接続され、昇圧回路部５は、昇圧用コンデンサ９に接続されたコネクタ端子１５ａ，１５ｂが位置する端子挿入部１３ａ，１３ｂに電気的に接続され、昇圧用コンデンサ９に接続されたコネクタ端子１５ａ，１５ｂの間に位置するコネクタ端子１５ｃは、第２の配線基板７側に電気的に接続不能な空き端子となっている。
【００１６】
図１〜図４に示すように、ＬＣＤ１は、ＬＣＤ表示部１７が設けられ、車両の速度計や燃料計などの部分に設けられる情報表示手段となっている。このＬＣＤ１内にはＬＣＤドライバ３が収容され、ＬＣＤドライバ３には第１の配線基板に設けられた昇圧回路部５や駆動信号処理部１９などが設けられている。
【００１７】
昇圧回路部５は、第１の配線基板上に設けられ、ＬＣＤ１に設けられたＬＣＤ端子２１と電気的に接続されている。この昇圧回路部５での状況は、第１の配線基板上に設けられた駆動信号処理部１９に伝達される。駆動信号処理部１９は、ＬＣＤ端子２１とＬＣＤコネクタ１１とを介してＬＣＤ１外に配置されたＣＰＵ２３に電気的に接続され、ＣＰＵ２３へ昇圧回路部５の情報を伝達すると共にＣＰＵ２３からの制御情報が伝達される。このようなＬＣＤ１内に設けられた昇圧回路部５は、ＬＣＤコネクタ１１を介して昇圧用コンデンサ９に電気的に接続され、昇圧用コンデンサ９によって昇圧される。
【００１８】
昇圧用コンデンサ９は、ＬＣＤ１外に配置された第２の配線基板７上に設けられている。この昇圧用コンデンサ９は、第２の配線基板７に設けられたランド２５と配線パターン２７によってＬＣＤコネクタ１１のコネクタ端子１５ａ，１５ｂと電気的に接続されている。このコネクタ端子１５ａ，１５ｂが位置する部分の端子挿入部１３ａ，１３ｂに昇圧回路部５に接続されたＬＣＤ端子２１が挿入されることにより、昇圧用コンデンサ９と昇圧回路部５とが電気的に接続される。このように昇圧回路部５と昇圧用コンデンサ９とは、ＬＣＤコネクタ１１を介して電気的に接続されている。
【００１９】
ＬＣＤコネクタ１１は、長方形状の筐体からなり、複数の端子挿入部１３と、複数のコネクタ端子１５とを有している。複数の端子挿入部１３は、筐体の長さ方向に複数列設けられ、ＬＣＤ１のＬＣＤ端子２１が挿入されてＬＣＤ１とＬＣＤコネクタ１１とが電気的に接続される。なお、ＬＣＤ１のＬＣＤ端子２１には、ＬＣＤ１内に設けられたＬＣＤドライバ３などと電気的に接続されていない空き端子があり、この空き端子が端子挿入部１３に挿入されている部位はＬＣＤ１とＬＣＤコネクタ１１とが電気的に接続されない。
【００２０】
複数のコネクタ端子１５は、各端子挿入部１３から筐体の幅方向の一側と他側にそれぞれ交互に千鳥足状に設けられている。複数のコネクタ端子１５のうち同一方向（筐体の幅方向の一側、もしくは他側）に設けられたコネクタ端子（例えば、１５ａ，１５ｂなど）は、隣接するコネクタ端子間のピッチが従来の千鳥足状にコネクタ端子が設けられていないコネクタの隣接するコネクタ端子間のピッチと同等に設定されている。このため、従来のコネクタに対応されているＬＣＤのＬＣＤ端子にも、ＬＣＤコネクタ１１の端子挿入部１３とコネクタ端子１５とを対応させることができ、ＬＣＤコネクタ１１の汎用性を向上させることができる。
【００２１】
このようなＬＣＤコネクタ１１では、幅方向の同一側で隣接するコネクタ端子１５ａ，１５ｂに昇圧用コンデンサ９が電気的に接続される。また、コネクタ端子１５ａ，１５ｂが位置する端子挿入部１３ａ，１３ｂに昇圧回路部５が電気的に接続され、昇圧用コンデンサ９と昇圧回路部５とがＬＣＤコネクタ１１を介して電気的に接続される。この状態では、コネクタ端子１５ａ，１５ｂの間に位置してコネクタ端子１５ａ，１５ｂと筐体の幅方向の反対側に設けられたコネクタ端子１５ｃは、第２の配線基板７に電気的に接続されない空き端子となっている。なお、空き端子となっているコネクタ端子１５ｃが位置する端子挿入部１３ｃに挿入されるＬＣＤ端子２１も、第１の配線基板には電気的に接続されずに空き端子となっている。
【００２２】
ここで、図５，６にコネクタ端子１５ａとコネクタ端子１５ｃの間に端子挿入部１３を囲むようにランドと配線パターンによって昇圧用コンデンサ９を接続したとき（図５）と、コネクタ端子１５ａ，１５ｂに昇圧用コンデンサ９を接続し、コネクタ端子１５ａ，１５ｂの間に位置するコネクタ端子１５ｃを空き端子としたとき（図６）の周波数に対するノイズを示す。なお、上部に位置する線は周波数のピーク時の平均値であり、下部に位置する線は周波数の全体の平均値である。また、上部の線側に位置する線をノイズのリミット値とする。このように、コネクタ端子１５ａ，１５ｂに昇圧用コンデンサ９を接続し、コネクタ端子１５ａ，１５ｂの間に位置するコネクタ端子１５ｃを空き端子とすることにより、ノイズの発生を抑制することができる。
【００２３】
このようなノイズ対策構造では、コネクタ端子１５が各端子挿入部１３から幅方向の一側と他側にそれぞれ交互に設けられているので、ＬＣＤコネクタ１１のサイズを小型化することができる。また、幅方向の同一側で隣接するコネクタ端子１５ａ，１５ｂに昇圧用コンデンサ９が接続されるので、昇圧用コンデンサ９に接続されるコネクタ端子１５ａ，１５ｂ間のピッチを従来のコネクタ端子間のピッチと同等にすることができる。
【００２４】
このため、コネクタ端子１５ａ−昇圧用コンデンサ９−コネクタ端子１５ｂを結ぶ配線パターン２７を長距離にする必要がなく、昇圧用コンデンサ９から発生するノイズの配線パターン２７からの放射を抑制することができる。また、昇圧用コンデンサ９が位置する部分に設けられた空き端子となるコネクタ端子１５ｃは、複数のコネクタ端子１５の一部であるので、ＬＣＤコネクタ１１やＬＣＤ１などの周辺部材の大きな設計変更を伴うことなく、ＬＣＤコネクタ１１のサイズの小型化を維持することができる。
【００２５】
従って、部品サイズを小型化することができ、耐ノイズ性能を向上させることができる。
【００２６】
なお、本発明の実施の形態に係るノイズ対策構造では、ＬＣＤ内に設けられた昇圧回路部とＬＣＤ外に設けられた昇圧用コンデンサとをコネクタによって接続した構成に適用しているが、これに限らず、昇圧回路部と昇圧用コンデンサとをコネクタによって接続する構成であれば、どのような装置にも適用することができる。
【符号の説明】
【００２７】
５…昇圧回路部
７…第２の配線基板
９…昇圧用コンデンサ
１１…ＬＣＤコネクタ（コネクタ）
１３…端子挿入部
１５…コネクタ端子
【図１】
2010267445.tif 000003
【図２】
2010267445.tif 000004
【図３】
2010267445.tif 000005
【図４】
2010267445.tif 000006
【図５】
2010267445.tif 000007
【図６】
2010267445.tif 000008